(57)【要約】【課題】界面活性剤を添加しなくても化粧水や洗剤として使用でき、ダイエット効果があるなど様々な特性を備えた機能水を製造する機能水製造装置を提供する。【解決手段】機能水製造装置は、イオン交換樹脂を含むフィルタやミネラル分を添加するフィルタなどを組合わせることにより、電気分解を利用することなく、機能水を製造する。例えば、酸性水製造装置１は、原水供給口１１から取り込んだ水道水を、前処理フィルタＡ、高密度活性炭フィルタＢ、分子分離フィルタＣ、ミネラル添加フィルタＤ、水素イオン交換型陽イオン交換フィルタＨを通過させ、生産水口１２から外部に酸性水として放出する。【選択図】図１
2005118629.tif 000002
【特許請求の範囲】
【請求項１】
前処理フィルタと、
前記前処理フィルタの下流に配置された高密度活性炭フィルタと、
前記高密度活性炭フィルタの下流に配置された０．１から１０００ｎｍの孔をもつ分子分離フィルタと、
前記分子分離フィルタの下流に配置されたミネラル添加フィルタと、
前記ミネラル添加フィルタの下流に配置された水素イオン交換型陽イオン交換フィルタと、
を備えていることを特徴とする機能水製造装置。
【請求項２】
前処理フィルタと、
前記前処理フィルタの下流に配置された高密度活性炭フィルタと、
前記高密度活性炭フィルタの下流に配置された０．１から１０００ｎｍの孔をもつ分子分離フィルタと、
前記分子分離フィルタの下流に配置され、ナトリウムイオン交換型陽イオン交換フィルタ又は水酸化物イオン交換型陰イオン交換フィルタからなる群れから選択された少なくとも一のフィルタと、
を備えていることを特徴とする機能水製造装置。
【請求項３】
前処理フィルタ、
前記前処理フィルタの下流に配置された高密度活性炭フィルタと、
前記高密度活性炭フィルタの下流に配置された０．１から１０００ｎｍの孔をもつ分子分離フィルタと、
前記分子分離フィルタの下流に配置されたミネラル添加フィルタと、
前記ミネラル添加フィルタの下流に配置されたマグネシウム添加フィルタと、
と、
を備えていることを特徴とする機能水製造装置。
【請求項４】
前処理フィルタの上流に酸化還元電位発生フィルタが設けられていることを特徴とする請求項１から３のいずれかに記載の機能水製造装置。
【請求項５】
高密度活性炭フィルタと分子分離フィルタの間にナトリウムイオン交換型陽イオン交換フィルタが設けられていることを特徴とする請求項１又は３のいずれかに記載の機能水製造装置。
【請求項６】
陽イオン交換フィルタの下流に電解装置が設けられていることを特徴とする請求項１に記載の機能水製造装置。
【請求項７】
分子分離フィルタと水酸化物イオン交換型陰イオン交換フィルタの間に塩素イオン交換型陰イオン交換フィルタが設けられていることを特徴とする請求項２に記載の機能水製造装置。
【請求項８】
陰イオン交換フィルタの下流にアルミ接触装置が設けられていることを特徴とする請求項２に記載の機能水製造装置。
【発明の詳細な説明】
【技術分野】
【０００１】
美膚効果、ダイエット効果などを有する機能水を製造することができる機能水製造装置に関し、特に、水の電気分解を必要とせずに、アルカリ性水、酸性水、ダイエット水を製造できる機能水製造装置に関する。
【背景技術】
【０００２】
近年、様々な効果を有することから、水道水や、水道水に食塩や乳酸カルシウムを加えた水溶液を電気分解して、酸性水やアルカリ水を製造する電解水製造装置が注目され、一般に普及し始めている（特許文献１参照）。
【０００３】
このような電解水製造装置は、イオン交換膜からなる隔膜によって仕切られた電解槽に陽極と陰極の２つの電極を差し込み、両電極間に２０〜４０Ｖ程度の電圧をかけることにより、陽極側に酸性水を、陰極側にアルカリ水を製造するものが多い。なお、電解水製造装置は、アルカリダイエット水製造装置や還元水製造装置等の名称でも販売されている。
【０００４】
また、イオン交換樹脂や、トルマリンなどの岩石を組み合わせ、病気の治癒、体内の浄化などの効果を謳う活性水製造装置や水の浄化装置なども販売されている（特許文献２参照）。
【特許文献１】特開２００３−１０８５１号公報
【特許文献２】特許第２８８９９０３号公報
【０００５】
しかし、上記のような電解水製造装置や活性水製造装置には次に掲げるような問題点があった。
【０００６】
まず、酸性水が製造される陽極側では、水道水中の塩素や臭素酸などから次亜塩素酸や次亜臭素酸が発生し、これと水中の有機物やフミン質とが反応して、トリハロメタンや臭素化トリハロメタンなどの有機塩素化合物が発生したり、メトヘモグロビン血症などの問題になっている塩素塩や亜塩素塩、ヒ素の濃度が上がることにより、人体に悪影響を与えるという問題点があった。
【０００７】
また、アルカリ水が製造される陰極側では、電極として利用されているステンレスから電解によって、ニッケルやクロムが溶出し、これらが直接人体に悪影響を与えるほか、溶出したクロムイオンが６価クロムに変化して、人体に更なる悪影響を与えたり現在問題になっている溶解性鉛の濃度が上がってしまうという問題点があった。
【０００８】
また、電解水製造装置によって製造された酸性水・アルカリ水は、ｐＨ緩衝力が強いので弱酸性の皮膚への浸透力も弱く、化粧水として使用するためには界面活性剤を添加する必要があり、皮膚に残留した界面活性剤が、皮膚に悪影響を与えると言う問題点もあった。
【０００９】
さらに、電解水製造装置によって製造された酸性水・アルカリ水には、整腸効果や殺菌効果はある程度確認されているものの、ダイエット効果については確認されていなかった。
【００１０】
加えて、活性水製造装置には、その効果、特に医学的効果においては疑わしいもあり、その効果が虚偽であったり誇大であることもあった。
【発明の開示】
【発明が解決しようとする課題】
【００１１】
この発明は、安全であるとともに、界面活性剤を添加しなくても化粧水や洗剤として使用でき、ダイエット効果があるなど様々な特性を備えた機能水を製造する機能水製造装置を提供することを課題とする。
【課題を解決するための手段】
【００１２】
本発明の機能水製造装置は、イオン交換樹脂を含むフィルタやミネラル分を添加するフィルタなどを組合わせることにより、電気分解を利用することなく、機能水を製造する。
【発明の効果】
【００１３】
本発明の機能水製造装置により製造された機能水は、化粧水、洗剤、ダイエット効果のある水などとして利用することができる。
【発明を実施するための最良の形態】
【００１４】
以下、この発明にかかる機能水製造装置について、図面に基づいて説明する。なお、機能水製造装置は、そのフィルタ構成によって、（１）酸性水、（２）アルカリ水、（３）ダイエット水のいずれかを製造することができる。そこで、（１）酸性水、（２）アルカリ水、（３）ダイエット水を製造する機能水製造装置について、この順序で以下に説明する。
【００１５】
（１）酸性水を製造する機能水製造装置
図１は、酸性水を製造する機能水製造装置１の構成を模式的に示す図であり、この図に示すように、水道水は、原水供給口１１から機能水製造装置１に取り込まれ、前処理フィルタＡ、高密度活性炭フィルタＢ、分子分離フィルタＣ、ミネラル添加フィルタＤ、水素イオン交換型陽イオン交換フィルタＨを通過したのち、生産水口１２から外部に放出される。なお、分子分離フィルタＣによって水を浄化するためには、水を加圧する必要があるため、分子分離フィルタＣの上流には高圧ポンプ１３を設けてある。また、この図において、浄水の流路である接続管１４は実線で、廃棄水の流路である廃棄水管１５は点線でそれぞれ示している。つぎに、機能水製造装置１の各構成要素について説明する
【００１６】
原水供給口１１は、その一端が、水道の蛇口などの水道水や井戸水の貯水タンクなどと連結され、その他端は前処理フィルタＡに接続されている。
【００１７】
前処理フィルタＡは、図１に示すように、円筒状のケースＡ１内の中心部に外周に多数の小孔を備えた排出管Ａ２を設置しており、排出管Ａ２の回りにフィルタＡ３を巻回したものである。
【００１８】
なお、フィルタＡ３の構成部材としては、一酢酸セルロース、二酢酸セルロース、三酢酸セルロース、木綿などのセルロース系素材、ポリエチレン、ポリプロピレン、ポリアクリレイト、ポリメタアクリレート、ポリオレフィン、ポリフッ化ビニリデン、テフロン（登録商標）、ポリビニルアルコールなどの重合系素材、ポリカーボネート、ポリアミド、ポリスルホン、ポリエーテルスルホン、ポリベンゾキサジンジオン、ポリベンゾイミダゾロン、ポリエステルなどからなる縮合系素材、グラスファイバー、セラミック、各種金属などからなる無機系素材、を単独又は組合わせたものが挙げられる。
【００１９】
また、ケースＡ１の上部には、接続管１４の末端が接続しており、排出管Ａ２の出口には接続管１４が、ケースＡ１の下部には廃水管１５が接続している。
【００２０】
高密度活性炭フィルタＢは、図１に示すように、円筒状のケースＢ１内の上下部に略１〜１００μｍポアのセディメントフィルタＢ２，Ｂ３を配置し、両フィルタＢ２，Ｂ３間に繊維状、粒状、固形状の活性炭Ｂ４を充填したものである。また、ケースＢ１の下部中央には接続管１４の末端が、下部の周辺部には廃水管１５が接続しており、ケースＢ１の上部には接続管１４が接続している。
【００２１】
分子分離フィルタＣは、図１に示すように、円筒状のケースＣ１内の中心部に外周に多数の小孔を有する排出管Ｃ２を設置し、排出管Ｆ２の回りに例えば孔径が０．１〜１０００ｎｍのフィルタＣ３を巻回もしくは、中空糸状にしたものである。
【００２２】
なお、フィルタＣ３の構成部材としては、セルロース、一酢酸セルロース、二酢酸セルロース、三酢酸セルロースなどのセルロース系素材、ポリエチレン、ポリプロピレン、ポリアクリレイト、ポリメタアクリレート、ポリオレフィン、ポリフッ化ビニリデン、テフロン（登録商標）、ポリビニルアルコールなどの重合系素材、ポリアミド、ポリスルホン、ポリエーテルスルホン、ポリベンゾキサジンジオン、ポリベンゾイミダゾロン、ポリエステルなどからなる縮合系素材、グラスファイバー、セラミック、各種金属からなる無機系素材を単独又は組合わせたものを挙げることができる。
【００２３】
また、ケースＣ１の上部には接続管１４の末端を接続してあり、排出管Ｃ２の出口には接続管１４が、また下部の周辺部には廃水管１５が接続している。
【００２４】
ミネラル添加フィルタＤは、高密度活性炭フィルタＢの活性炭の一部を、化石サンゴＤ５及び造磯サンゴＤ６、もしくは塩化マグネシウム、マグネシア等の海水にがり成分に置き換えたものである。また、円筒形のケースＤ１、セディメントフィルタＤ２及びＤ３は、高密度活性炭フィルタＢを構成する円筒形のケースＢ１、セディメントフィルタＢ２及びＢ３と同じものである。
【００２５】
水素イオン交換型陽イオン交換フィルタＨは、図１に示すように、円筒状のケースＨ１内の上下部に略１〜１００μｍポアのセディメントフィルタＨ２，Ｈ３を配置し、両フィルタＨ２，Ｈ３間に繊維状又は粒状であって、水素イオン交換型陽イオン交換樹脂Ｈ４を充填したものである。また、ケースＨ１の下部中央には接続管１４の末端が、下部の周辺部には廃水管１５が接続しており、ケースＨ１の上部には接続管１４が接続している。
【００２６】
高圧ポンプ１３は、電動モータなどの動力源によって駆動し、分子分離フィルタＣによる濾過に必要な圧力を水に加えるものであり、接続管１４及び排水管１５は金属製またはプラスチック製の管である。
【００２７】
このようにして構成された機能水製造装置１は、原水供給口１１から取り入れた水道水を前処理フィルタＡ及び高密度活性炭フィルタＢによって浄化し、高圧ポンプ１３により浄化した水を加圧して分子分離フィルタＣによってミネラル成分を取り除いたのち、ミネラル添加フィルタＤによってイオン化したミネラル分を添加し、当該イオン化したミネラル分を水素イオン交換型陽イオン交換フィルタＨによって水素イオンに交換することにより、酸性水を製造する。製造された酸性水は、肌水（化粧水）として利用でき、しみ、しわ取り、肌の引き締めなどの効果が確認されている。
【００２８】
なお、酸性水を製造する機能水製造装置１は、上記の構成に他のフィルタを付け加えることにより、ｐＨがより低い強酸性水を製造することができる。
【００２９】
まず、高密度活性炭フィルタＢとポンプ１３の間に、ナトリウムイオン交換型陽イオン交換フィルタＫを挿入してもよい。これにより、浄水中のカルシウム又はマグネシウムがナトリウムイオンに交換される。そして、カルシウム又はマグネシウムに比べて、ナトリウムイオンは分子分離フィルタＣを通過しやすいため、浄水中の陽イオンが増え、水素イオン交換型陽イオン交換フィルタＨによって交換される水素イオンの量が増加し、より強酸性の酸性水が製造される。
【００３０】
なお、ナトリウムイオン交換型陽イオン交換フィルタＫは、図２（１）に示すように、水素イオン交換型陽イオン交換樹脂Ｈ４に換えて、ナトリウムイオン交換型陽イオン交換樹脂Ｋ４を充填したものである。そのため、円筒形のケースＫ１、セディメントフィルタＫ２及びＫ３は、水素交換型陽イオン交換フィルタＨを構成する円筒形のケースＨ１、セディメントフィルタＨ２及びＨ３と同じものである。
【００３１】
また、前処理フィルタＡの上流に酸化還元電位発生フィルタＥ又はＦを付け加えてもよい。これにより、水の酸化還元電位が高まり、イオン化した陽イオン濃度があがる。そのため、陽イオン交換フィルタＨによって交換される水素イオンの量が増加し、より強酸性の酸性水が製造される。
【００３２】
なお、酸化還元電位発生フィルタＥ及びＦは、図２（２）及び（３）に示すように、高密度活性炭フィルタＢの高密度活性炭Ｂ４の一部を、それぞれ銅粒子Ｅ５及び亜鉛粒子Ｅ６、酸化アルミニウム、酸化マンガンＦ５に換えたものである。そのため、円筒形のケースＥ１，Ｆ１、セディメントフィルタＥ２，Ｆ２及びＥ３，Ｆ３、及び高密度活性炭Ｅ４，Ｆ４は、高密度活性炭フィルタＢを構成する円筒形のケースＢ１、セディメントフィルタＢ２、Ｂ３、高密度活性炭Ｂ４と同じものである。
【００３３】
また、分子分離フィルタＣ、ミネラル分添加フィルタＤの間に塩素イオン交換型陰イオン交換フィルタＧを付け加えてもよい。これにより、アトピーの原因物質である塩素性窒素や亜塩素性窒素を完全に除去することができる。
【００３４】
なお、塩素イオン交換型陰イオン交換フィルタＧは、図２（４）に示すように、円筒状のケースＧ１内の上下部に略１〜１００μｍポアのセディメントフィルタＧ２，Ｇ３を配置し、両フィルタＧ２，Ｇ３間に繊維状又は粒状の塩素イオン交換型陰イオン交換樹脂Ｇ４を充填したものである。
【００３５】
さらに、水素イオン交換型陽イオン交換フィルタＨの下流に電解装置Ｊを付け加えてもよい。これにより、酸性水に通電して水素イオンを発生させ、より溶存水素の多い酸性水を製造することができる。
【００３６】
なお、電解装置Ｊは、図２の（５）に示すように、円筒形のケースＪの内側に、アルミニウムもしくは白金、チタン、マグネシウム、亜鉛等の電極Ｊ２及びＪ３を設けたものであり、電極Ｊ２及びＪ３に約０．１〜９０Ｖ、０．１〜２００Ａの電流を通電することにより、より強酸性の酸性水を製造することができる。また、電極Ｊ２及びＪ３の素材は、酸性水に溶け出さない材料であれば特に限定する必要はないが、価格や耐久性を考慮すれば、チタン棒材に白金をメッキしたものが好ましい。
【００３７】
（２）アルカリ水を製造する機能水製造装置
図３は、アルカリ水を製造する機能水製造装置２の構成を模式的に示す図であり、この図に示すように、水道水は原水供給口２１から、機能水製造装置２に取り込まれ、前処理フィルタＡ、高密度活性炭フィルタＢ、分子分離フィルタＣ、ナトリウムイオン交換型陽イオン交換フィルタＫによって浄化されたのち、生産水口２２から外部に放出される。なお、分子分離フィルタＣによって水を浄化するためには、水を加圧する必要があるため、分子分離フィルタＣの上流には高圧ポンプ２３を設けてある。また、この図において、浄水の流路である接続管２４は実線で、廃棄水の流路である廃棄水管２５は点線でそれぞれ示している。
【００３８】
つぎに、機能水製造装置２の各構成要素について説明するが、上記構成要素のうち、原水供給口２１、生産水口２２、高圧ポンプ２３、前処理フィルタＡ、高密度活性炭フィルタＢ、分子分離フィルタＣ、ナトリウムイオン交換型陽イオン交換フィルタＫについては、（１）に記載したものと同一のものであるため、その説明を省略する。
【００３９】
このようにして構成された機能水製造装置２は、原水供給口２１から取り入れた水道水を前処理フィルタＡ及び高密度活性炭フィルタＢによって浄化し、高圧ポンプ２３により浄化した水を加圧して分子分離フィルタＣによって石灰分を取り除いたのち、ナトリウムイオン交換型陽イオン交換樹脂フィルタＫによって、分子分離フィルタＣを通過するカルシウムやマグネシウムなどのイオン化したミネラル成分をナトリウムイオンに交換することによりアルカリ性にする。さらに浄水中の塩素イオン及び硫酸イオンなどを水酸化物イオンに交換することにより、強アルカリ水を製造する。製造されたアルカリ水は、高い界面活性効果を備えているため、飲用可能であるとともに、油脂類の洗浄能力があり、クレンジング水や洗剤として利用可能であることが確認されている。
【００４０】
なお、アルカリ水を製造する機能水製造装置２は、上記の構成にフィルタの構成を変えたり、他のフィルタを付け加えることにより、フィルタ寿命を延ばしたり、ｐＨがより高い強塩基水を製造することができる。
【００４１】
まず、ナトリウムイオン交換型陽イオン交換フィルタＫに替えて、水酸化物イオン交換型陰イオン交換フィルタＯを使用してもよく、ナトリウムイオン交換型陽イオン交換フィルタＫの下流に水酸化物イオン交換型陰イオン交換フィルタＯを追加してもよい。
【００４２】
水酸化物イオン交換型陰イオン交換フィルタＯは、図４に示すように、円筒状のケースＯ１内の上下部に略１〜１００μｍポアのセディメントフィルタＯ２，Ｏ３を配置し、両フィルタＯ２，Ｏ３間に繊維状又は粒状であって、水酸化物イオン交換型陰イオン交換樹脂Ｏを充填したものである。なお、円筒形のケースＯ１、セディメントフィルタＯ２及びＯ３は、水素交換型陽イオン交換フィルタＨを構成する円筒形のケースＨ１、セディメントフィルタＨ２及びＨ３と同じものである。
【００４３】
また、ケースＯ１の下部中央には接続管２４の末端が、下部の周辺部には廃水管２５が接続でき、ケースＯ１の上部には接続管２４が接続できる。
【００４４】
また、水酸化物イオン交換型陰イオン交換フィルタＯのみを使用する場合には、
分子分離フィルタＣと水酸化物イオン交換型陰イオン交換フィルタＯの間に、水酸化物イオン交換型陰イオン交換フィルタＯとナトリウムイオン交換型陽イオン交換フィルタＫの両方を使用する場合には、分子分離フィルタＣとナトリウムイオン交換型陽イオン交換フィルタＫの間に、図２（４）に示す塩素イオン交換型陰イオン交換フィルタＧを挿入してもよい。これにより、浄水中の硝酸性窒素（硝酸イオン）が塩素イオンに交換に交換される。そのため、人体に有害な硝酸性窒素が取り除かれるとともに、水酸化物イオン交換型陰イオン交換フィルタＯの寿命を延ばすこともできる。なお、塩素イオン交換型陰イオン交換フィルタＧは（１）に記載したものと同じであるため、説明を省略する。
【００４５】
さらに、水酸化物イオン交換型陰イオン交換フィルタＯの下流にアルミニウム接触装置Ｍ又はＮを付け加えてもよい。これにより、アルカリ水の酸化還元電位を下げてｐＨを高め、より強アルカリ性のアルカリ水を製造することができる。
【００４６】
なお、アルミニウム接触装置Ｍは、図４の（２）に示すように、円筒形のケースＭ１内部にアルミニウム接触板Ｍ２を備えており、アルミニウム接触版Ｍ２には通水孔Ｍ３が穿孔してある。また、アルミニウム接触装置Ｎは、図４の（３）に示すように、円筒形のケースＮ１にアルミビーズＮ４を充填したものである。そのため、円筒形のケースＮ１、セディメントフィルタＮ２及びＮ３は、水酸化物イオン交換型陰イオン交換フィルタＯを構成する円筒形のケースＯ１、セディメントフィルタＯ２及びＯ３と同じものである。
【００４７】
また、前処理フィルタＡの上流に酸化還元電位発生フィルタＥ又はＦを付け加えてもよい。これにより、水の酸化還元電位が高まり、イオン化し、分子分離フィルタＣを通過する陰イオン濃度があがる。そのため、水酸化物イオン交換型陰イオン交換フィルタＯによって交換される水酸化物イオンの量が増加し、よりアルカリ性のアルカリ水が製造される。なお、酸化還元電位発生フィルタＥ又はＦは（１）に記載したものと同じであるため、説明を省略する。
【００４８】
（３）ダイエット水を製造する機能水製造装置
図５は、ダイエット水を製造する機能水製造装置３の構成を模式的に示す図であり、この図に示すように、水道水は原水供給口３１から、機能水製造装置３に取り込まれ、前処理フィルタＡ、高密度活性炭フィルタＢ、分子分離フィルタＣ、ミネラル分添加フィルタＤよって浄化され、マグネシウム添加フィルタＬによりマグネシウムイオンを添加されたのち、生産水口３２から外部に放出される。なお、分子分離フィルタＣによって水を浄化するためには、水を加圧する必要があるため、分子分離フィルタＣの上流には高圧ポンプ３３を設けてある。また、この図において、浄水の流路である接続管３４は実線で、廃棄水の流路である廃棄水管３５は点線でそれぞれ示している。
【００４９】
つぎに、機能水製造装置３の各構成要素について説明するが、上記構成要素のうち、原水供給口３１、生産水口３２、高圧ポンプ３３、前処理フィルタＡ、高密度活性炭フィルタＢ、分子分離フィルタＣ、ミネラル分添加フィルタＤについては、（１）に記載したものと同一のものであるため、その説明を省略する。
【００５０】
マグネシウム添加フィルタＬは、図５に示すように、円筒状のケースＬ１内の上下部に略１〜１００μｍポアのセディメントフィルタＬ２，Ｌ３を配置し、両フィルタＬ２，Ｌ３間に、粒状の塩化マグネシウム又はマグネシア等の海水にがり成分Ｌ５を充填したものである。また、ケースＬ１の下部中央には接続管３４の末端が、下部の周辺部には廃水管３５が接続しており、ケースＬ１の上部には接続管３４が接続している。
【００５１】
このようにして構成された機能水製造装置３は、原水供給口３１から取り入れた水道水を前処理フィルタＡ及び高密度活性炭フィルタＢによって浄化し、高圧ポンプ３３により浄化した水を加圧して分子分離フィルタＣによって石灰分を取り除いたのち、ミネラル添加フィルタＤによってイオン化したミネラル分を添加し、マグネシウム添加フィルタＬによりマグネシウムイオンをさらに添加することにより、マグネシウムイオンに富んだダイエット水を製造する。製造されたダイエット水は、含有するマグネシウムイオンによって腸の動きを活性化して腸の排出力を高め、その結果としてダイエット効果が得られる。
【００５２】
なお、ダイエット水を製造する機能水製造装置３は、上記の構成に他のフィルタを付け加えることにより、溶解するイオンの濃度を高めることができる。
【００５３】
まず、高密度活性炭フィルタＢとポンプ３３の間に、ナトリウムイオン交換型陽イオン交換フィルタＫを挿入してもよい。これにより、浄水中の石灰型のカルシウム又はマグネシウムがナトリウムイオンに交換される。そして、カルシウム又はマグネシウムに比べて、ナトリウムイオンは分子分離フィルタＣを通過しやすいため、浄水中の陽イオンが増え、塩化マグネシウムもしくはマグネシア等の海水にがり成分添加フィルタＬから溶出するマグネシウムイオン量が増大する。なお、ナトリウムイオン交換型陽イオン交換フィルタＫは（１）に記載したものと同じであるため、説明を省略する。
【００５４】
また、分子分離フィルタＣ、ミネラル分添加フィルタＤの間に塩素イオン交換型陰イオン交換フィルタＧを付け加えてもよい。これにより、アトピーの原因物質である塩素性窒素や亜塩素性窒素を完全に除去することができる。なお、塩素イオン交換型陰イオン交換フィルタＧは（１）に記載したものと同じであるため、説明を省略する。
【００５５】
また、前処理フィルタＡの上流に酸化還元電位発生フィルタＥ又はＦを付け加えてもよい。これにより、水の酸化還元電位が高まり、イオン化した陽イオン濃度があがるとともに、塩化マグネシウムもしくはマグネシア等の海水にがり成分添加フィルタＬから溶出するマグネシウムイオンの濃度を高めることができる。なお、酸化還元電位発生フィルタＥ又はＦは（１）に記載したものと同じであるため、説明を省略する。
【００５６】
最後に、機能水製造装置１、２は、その流量、特に分子分離フィルタＣの下流に位置する各種フィルタの流量を調整することにより、具体的には、例えば、高圧ポンプの圧力を調節することにより、０．０１刻みのｐＨで１．５〜１３．０まで自由に調節することができる。
【産業上の利用可能性】
【００５７】
本件発明にかかる機能水製造装置１，２は、複数のフィルタを組合せて浄水やミネラル分などの添加を行うことにより、酸性水、アルカリ水、ダイエット水などの各種機能水を安全に製造することができる。
【図面の簡単な説明】
【００５８】
【図１】酸性水を製造する機能水製造装置１の構成を模式的に示す図である。
【図２】他のフィルタや電解装置の構成を模式的に示す図である。
【図３】アルカリ水を製造する機能水製造装置２の構成を模式的に示す図である。
【図４】他のフィルタやアルミニウム接触装置の構成を模式的に示す図である。
【図５】ダイエット水を製造する機能水製造装置３の構成を模式的に示す図である。
【符号の説明】
【００５９】
１  酸性水を製造する機能水製造装置
２  アルカリ水を製造する機能水製造装置
３  ダイエット水を製造する機能水製造装置
Ａ  前処理フィルタ
Ｂ  高密度活性炭フィルタ
Ｃ  分子分離フィルタ
Ｄ  ミネラル分添加フィルタ
Ｅ  酸化還元電位発生フィルタ
Ｆ  酸化還元電位発生フィルタ
Ｇ  塩素イオン交換型陰イオン交換フィルタ
Ｈ  水素イオン交換型陽イオン交換フィルタ
Ｊ  電解装置
Ｋ  ナトリウムイオン交換型陽イオン交換フィルタ
Ｌ  マグネシウム添加フィルタ
Ｍ  アルミニウム接触装置
Ｎ  アルミニウム接触装置
Ｏ  水酸化物イオン交換型陰イオン交換フィルタ
【図１】
2005118629.tif 000003
【図２】
2005118629.tif 000004
【図３】
2005118629.tif 000005
【図４】
2005118629.tif 000006
【図５】
2005118629.tif 000007